(57)【要約】【課題】本発明はガス遮断装置に関するものであり、ガス遮断装置の初期化が必要なときにのみ初期化することを目的とする。【解決手段】流量判定部１２は流量検出部１１の流量信号Ａにより算出した流量と判定値保持部１７の遮断判定値Ｅとを比較し、遮断判定値Ｅを超えていれば弁駆動要求信号Ｂを出力し、弁駆動部１３は弁駆動要求信号Ｂを受け取ると弁１４に弁駆動信号Ｃを出力しガス通路を遮断する。指示判定部１６は外部通信部１５の指示信号Ｄが変更指示であれば変更信号Ｆを、初期化指示が複数回連続していれば初期化信号Ｇを出力し、判定値保持部１７は遮断判定値Ｅを変更信号Ｆに基づき変更し、初期化信号Ｇに基づき初期化する。【選択図】図１
2005127884.tif 000002
【特許請求の範囲】
【請求項１】
ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記指示信号が変更指示であれば変更信号を出力し、前記指示信号が初期化指示の場合に複数回連続しているかを判定し、複数回連続していれば初期化信号を出力する指示判定部とからなり、前記判定値保持部は前記変更信号を受け取ると前記遮断判定値を更新し、前記初期化信号を受け取ると前記遮断判定値を初期化することを特徴とするガス遮断装置。
【請求項２】
ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記指示信号が変更指示であればタイマ起動信号と変更信号を出力し、前記指示信号が初期化指示であればタイマ駆動中信号の有無を判定し、前記タイマ駆動中信号があれば初期化信号を出力するタイマ・指示判定部と、前記タイマ起動信号を受け取るとタイマを起動し前記タイマが所定の時間に達するまで前記タイマ駆動中信号を出力する指示間隔タイマ部とからなり、前記判定値保持部は前記変更信号を受け取ると前記遮断判定値を更新し、前記初期化信号を受け取ると前記遮断判定値を初期化することを特徴とするガス遮断装置。
【請求項３】
ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記指示信号が変更指示であれば変更信号を出力し、前記指示信号が初期化指示であれば外部信号の有無を判定し、前記外部信号があれば初期化信号を出力する外部・指示判定部と、外部からの操作がある場合に前記外部信号を出力する外部入力部とからなり、前記判定値保持部は、前記変更信号を受け取ると前記遮断判定値を更新し、前記初期化信号を受け取ると前記遮断判定値を初期化することを特徴とするガス遮断装置。
【請求項４】
ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記流量信号を受け取るとガスの使用量を算出して指針値として保持する指針値保持部と、前記指示信号を受け取り、前記指示信号が変更指示であれば変更信号を出力し、前記指示信号が初期化指示であれば前記指針値を取得して前記指針値が任意の値以下の場合に初期化信号を出力する指針・指示判定部とからなり、前記判定値保持部は、前記変更信号を受け取ると前記遮断判定値を更新し、前記初期化信号を受け取ると前記遮断判定値を初期化することを特徴とするガス遮断装置。
【請求項５】
ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記流量信号を受け取るとタイマ再起動指示を出力し、前記指示信号を受け取り、前記指示信号が変更指示であれば変更信号を出力し、前記指示信号が初期化指示であれば初期化可能信号の有無を判定し、前記初期化可能信号があれば初期化信号を出力する流量・指示判定部と、前記流量・指示判定部の前記タイマ再起動信号を受け取るとタイマを起動し前記タイマが任意の期間に達すると前記初期化可能信号を出力する流量間隔タイマ部とからなり、前記判定値保持部は、前記変更信号を受け取ると前記遮断判定値を更新し、前記初期化信号を受け取ると前記遮断判定値を初期化することを特徴とするガス遮断装置。
【発明の詳細な説明】
【技術分野】
【０００１】
本発明はガス遮断装置に関するもので、特に内部設定値の初期化に関するものである。
【背景技術】
【０００２】
従来、この種のガス遮断装置としては、例えば外部スイッチにて直接内部設定値を初期化するものがあった（例えば、特開文献１、２参照）。
【０００３】
図６は前記文献に記載された従来のガス遮断装置を示すものである。流量検出部１はガス通路内を通過するガス流量に対応して流量信号ａを出力し、流量判定部２は流量検出部１の流量信号ａを受け取ると流量を算出し、判定値保持部６が保持している遮断判定値ｅを取得して流量が遮断判定値ｅを超えているかを判定し、流量が遮断判定値ｅを超えていれば遮断要求信号ｂを出力し、弁駆動部３は流量判定部２の弁駆動要求信号ｂを受け取ると弁駆動信号ｃを出力し、弁４は弁駆動部３の弁駆動信号ｃを受け取るとガス通路を遮断し、外部通信部５は外部と通信を行い指示信号ｄを出力し、判定値保持部６は外部通信部５の指示信号ｄを受け取り遮断判定値ｅを更新し、外部スイッチ部７の初期化信号ｆがあれば遮断判定値ｅを初期化し、外部スイッチ部７は外部から指示があれば初期化信号ｆを出力していた。
【特許文献１】特開２００１−４１７９１号公報
【特許文献２】特開２００２−１５６２６５号公報
【発明の開示】
【発明が解決しようとする課題】
【０００４】
しかしながら、前記従来の構成では、特許文献１に記載の構成においては初期化を行うためのスイッチが外部から容易に操作できるようになっておりガス遮断装置の遮断判定値を変更することが簡単である反面、作業者の誤操作により初期化されてしまう可能性があった。
【０００５】
一方、特許文献２に記載の構成においては初期化の為のリセットスイッチがケースの外から操作することが出来ない構成になっているため、現場での初期化が不可能であり、かつ工場に引き上げて初期化しょうとした場合にはガス遮断装置を解体して制御基板を取り出さなくてならなかった。
【０００６】
また、双方共に初期化の指示が随時受け付けられる構成のため、誤って初期化を行うことがないように、初期化の機能を持たせることに注意を払う必要であるという課題を有していた。
【０００７】
本発明は、前記従来の課題を解決するもので、例えば初期化指示を連続で受け付けたときにのみ初期化が可能となることで、一旦市場に取り付けられたガス遮断装置が、取り付けた顧客のガスの使用実態に即していない場合に使用実態に即したガス遮断装置に交換した後、交換で取り外されたガス遮断装置を別の顧客に取付ける場合にガス遮断装置の内部設定値が変更されていても初期化を容易に行うことが出来る。そして不容易な初期化を排除し初期化が必要な場面で初期化指示を受け付けるガス遮断装置を提供することを目的とする。
【課題を解決するための手段】
【０００８】
前記従来の課題を解決するために、本発明のガス遮断装置は、初期化指示を連続で受け付けたときにのみ初期化を可能としたり、初期化できる期間を限定する機能を設けたものである。このことにより不容易な初期化を防止し、かつガス遮断装置の交換で取り外されたガス遮断装置を別の顧客に取り付ける場合に相応しいガス遮断装置の内部設定値とするために初期化するものである。
【発明の効果】
【０００９】
本発明のガス遮断装置は、意図的な操作に基づくガス遮断装置の初期化（遮断判定値のみならず工場出荷時に一意に決められ以降は変更不可能な設定値を含めて）や初期化が可能な期間を限定することができ、不容易な操作によって誤って初期化されることを防止することができる。かつ、ガス遮断装置を取り付けた顧客のガスの使用実態に即していない場合に使用実態に即したガス遮断装置に交換した後、交換で取り外されたガス遮断装置を別の顧客に取付ける場合にガス遮断装置の内部設定値が往々にして変更されているため初期化する必要があるが、本発明によると、ガス遮断装置を解体することなしに初期化が可能とすることで利便性を向上させることができる。
【発明を実施するための最良の形態】
【００１０】
第１の発明は、ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記指示信号が変更指示であれば変更信号を出力し、前記指示信号が初期化指示の場合に複数回連続しているかを判定し、複数回連続していれば初期化信号を出力する指示判定部とからなり、前記判定値保持部は前記変更信号を受け取ると前記遮断判定値を更新し、前記初期化信号を受け取ると前記遮断判定値を初期化することを特徴とすることにより、ガス事業者の意図的な操作に基づき初期化を実施することができる。
【００１１】
第２の発明は、ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記指示信号が変更指示であればタイマ起動信号と変更信号を出力し、前記指示信号が初期化指示であればタイマ駆動中信号の有無を判定し、前記タイマ駆動中信号があれば初期化信号を出力するタイマ・指示判定部と、前記タイマ起動信号を受け取るとタイマを起動し前記タイマが所定の時間に達するまで前記タイマ駆動中信号を出力する指示間隔タイマ部とからなり、前記判定値保持部は前記変更信号を受け取ると前記遮断判定値を更新し、前記初期化信号を受け取ると前記遮断判定値を初期化することを特徴とすることにより、工場出荷時に設定された設定値を起点として初期化の指示を受付られる期間を設けることが可能となる。
【００１２】
第３の発明は、ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記指示信号が変更指示であれば変更信号を出力し、前記指示信号が初期化指示であれば外部信号の有無を判定し、前記外部信号があれば初期化信号を出力する外部・指示判定部と、外部からの操作がある場合に前記外部信号を出力する外部入力部とからなり、前記判定値保持部は、前記変更信号を受け取ると前記遮断判定値を更新し、前記初期化信号を受け取ると前記遮断判定値を初期化することを特徴とすることにより、特定の外部からの信号が入力されている状態でないと初期化の指示を受付不能にすることが可能となる。
【００１３】
第４の発明は、ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記流量信号を受け取るとガスの使用量を算出して指針値として保持する指針値保持部と、前記指示信号を受け取り、前記指示信号が変更指示であれば変更信号を出力し、前記指示信号が初期化指示であれば前記指針値を取得して前記指針値が任意の値以下の場合に初期化信号を出力する指針・指示判定部とからなり、前記判定値保持部は、前記変更信号を受け取ると前記遮断判定値を更新し、前記初期化信号を受け取ると前記遮断判定値を初期化することを特徴とすることにより、指針値が任意の量を超えることでガス遮断装置が十分にガス使用者に適して使用されているものとし初期化を必要としないと判定することが可能となる。
【００１４】
第５の発明は、ガス通路内を通過するガス流量に対応して流量信号を出力する流量検出部と、遮断判定値を保持している判定値保持部と、前記流量信号により算出した流量が前記遮断判定値を超えていれば遮断要求信号を出力する流量判定部と、前記弁駆動要求信号を受け取ると弁駆動信号を出力する弁駆動部と、前記弁駆動信号を受け取るとガス通路を遮断する弁と、外部と通信を行い指示信号を出力する外部通信部と、前記流量信号を受け取るとタイマ再起動指示を出力し、前記指示信号を受け取り、前記指示信号が変更指示であれば変更信号を出力し、前記指示信号が初期化指示であれば初期化可能信号の有無を判定し、前記初期化可能信号があれば初期化信号を出力する流量・指示判定部と、前記流量・指示判定部の前記タイマ再起動信号を受け取るとタイマを起動し前記タイマが任意の期間に達すると前記初期化可能信号を出力する流量間隔タイマ部とからなり、前記判定値保持部は、前記変更信号を受け取ると前記遮断判定値を更新し、前記初期化信号を受け取ると前記遮断判定値を初期化することを特徴とすることにより、例えば請求項２に記載した機能で初期化を一旦禁止された場合においても、長期間ガスが使われていないことより転宅等で新しいガス使用者が入居したときに改めて初期化することを許可とすることが可能となる。
【００１５】
以下、本発明の実施の形態について図面を用いて説明する。
【００１６】
（実施の形態１）
図１は本発明の第１の実施の形態のガス遮断装置の機能ブロック図である。
【００１７】
図１の機能ブロック図において、流量検出部１１はガス通路内を通過するガス流量（例えば、ガス遮断装置内に設置されている永久磁石がガス通路内を通過する流量の一定量毎に１回転分の円運動を行い、その円運動の軌跡上にリードスイッチを配置してガス流量を検知したり、あるいはガス通路内に対向した超音波センサを取り付け超音波の伝播時間の違いからガス流量を検知してもよいし、ガス通路内にガスが流れる経路を作成しガスが経路を流れるときに発生する振動からガス流量を検知してもよい）に対応して流量信号Ａを出力する。
【００１８】
流量判定部１２は流量検出部１１の流量信号Ａを受け取ると流量を算出し、判定値保持部１７が保持している遮断判定値Ｅを取得して流量が遮断判定値Ｅを超えているかを判定し、流量が遮断判定値Ｅを超えていれば遮断要求信号Ｂを出力する。
【００１９】
なお、遮断判定値Ｅの一例としては、ガス遮断装置にはガスを流せる許容量がある。許容量は号数で規定されており、その許容量を超えない範囲で遮断判定値Ｅが定められている。あるいはガスを連続して使用できる時間を規定するものもある。
【００２０】
弁駆動部１３は流量判定部１２の弁駆動要求信号Ｂを受け取ると弁駆動信号Ｃを出力する。弁１４は弁駆動部１３の弁駆動信号Ｃを受け取るとガス通路を遮断する。外部通信部１５は外部（例えば、電話等の公衆の通信回線網を使用した通信やインターネットを介した有線や無線の通信でもよいし、磁力や光を利用した非接触の通信でもよい）と通信を行い指示信号Ｄ（例えば、遮断判定値Ｅや、ガスを連続して使用できる時間の設定や地震が発生したときにガス通路の遮断の有無の設定、あるいは号数の設定値）を出力する。
【００２１】
指示判定部１６は外部通信部１５の指示信号Ｄを受け取り、指示信号Ｄが変更指示であれば変更信号Ｆ（例えば、号数で規定した許容されている遮断判定値Ｅの範囲内の値）を出力し、指示信号Ｄが初期化指示の場合に複数回連続（例えば、２回連続）しているかを判定し、複数回連続していれば初期化信号Ｇを出力する。
【００２２】
判定値保持部１７は指示判定部１６の変更信号Ｆを受け取ると遮断判定値Ｅを更新し、指示判定部１６の初期化信号Ｇ（例えば、号数で規定した許容されている遮断判定値Ｅの工場出荷時の設定値、ガス遮断装置が初めて起動されたときの設定値、あるいは号数そのものの設定値）を受け取ると遮断判定値Ｅを初期化するように構成している。
【００２３】
以上のように構成されたガス遮断装置において、初期化の対象とするのは、遮断設定値Ｅのように一旦設定した設定値の再度の変更を許可しているものや、工場出荷時に一意に決められると以降は変更が不可能な設定値であってもよく、ガス事業者の意図的な操作に基づきに初期化の指示を与えることで複数の設定値を一括で初期化することが可能となる。
【００２４】
また、一旦市場に取り付けられたガス遮断装置が、取り付けた顧客のガスの使用実態に即していない場合に使用実態に即したガス遮断装置に交換した後、交換で取り外された市場での使用期間が短いガス遮断装置をさらに別の顧客に取り付ける場合、ガス遮断装置の内部設定値が変更されていても、ガス遮断装置を工場で解体することなしに初期化することが可能となる。
【００２５】
（実施の形態２）
図２は本発明の第２の実施の形態のガス遮断装置の機能ブロック図である。なお実施の形態１と同一符号のものは同一構造を有し、説明は省略する。
【００２６】
実施の形態１と異なるのは、図２の機能ブロック図において、タイマ・指示判定部１８は外部通信部１５の指示信号Ｄを受け取り、指示信号Ｄが変更指示（例えば、工場で一旦設定されれば以降は変更を受け付けない設定値としてもよいし、工場出荷を示す専用の設定値でもよい）であればタイマ起動信号Ｈと変更信号Ｆを出力し、指示信号Ｄが初期化指示であればタイマ駆動中信号Ｉの有無を判定し、タイマ駆動中信号Ｉがあれば初期化信号Ｇを出力する点である。
【００２７】
指示間隔タイマ部１９はタイマ・指示判定部１８のタイマ起動信号Ｈを受け取るとタイマを起動しタイマが任意の期間（例えば、工場出荷時から半年以内）に達するまでタイマ駆動中信号Ｉを出力するよう構成されている。
【００２８】
以上のように構成されたガス遮断装置では工場出荷時に設定された設定値を起点として初期化の指示を受け付けられる期間を設けることが可能となり、受け付け期間を超えると初期化の指示を受け付けなくなるため誤った操作で初期化されることに歯止めを掛けることが可能となる。
【００２９】
（実施の形態３）
図３は本発明の第３の実施の形態のガス遮断装置の機能ブロック図である。なお実施の形態１と同一符号のものは同一構造を有し、説明は省略する。
【００３０】
実施の形態１と異なるのは、図３の機能ブロック図において、外部・指示判定部２１は外部通信部１５の指示信号Ｄを受け取り、指示信号Ｄが変更指示であれば変更信号Ｆを出力し、指示信号Ｄが初期化指示であれば外部信号Ｊの有無を判定し、外部信号Ｊがあれば初期化信号Ｇを出力する点である。
【００３１】
外部入力部２０は外部からの操作（例えば、ガス遮断装置が予め保有している警報器信号の入力を用いた操作、あるいは、専用の外部入力スイッチによる操作）がある場合に外部信号Ｊを出力する。
【００３２】
以上のように構成されたガス遮断装置では特定の外部からの信号が入力されている状態でないと初期化の指示を受付不能にすることできるため誤った操作で初期化されることに歯止めを掛けることが可能となる。
【００３３】
（実施の形態４）
図４は本発明の第４の実施の形態のガス遮断装置の機能ブロック図である。なお実施の形態１と同一符号のものは同一構造を有し、説明は省略する。
【００３４】
実施の形態１と異なるのは、図４の機能ブロック図において、指針値保持部２２は流量検出部１１の流量信号Ａを受け取るとガスの使用量を算出して指針値Ｋとして保持し、指針・指示判定部２３は外部通信部１５の指示信号Ｄを受け取り、指示信号Ｄが変更指示であれば変更信号Ｆを出力し、指示信号Ｄが初期化指示であれば指針値保持部２２の指針値Ｋ（例えば、１００ｍ３／ｈ）を取得して指針値Ｋが所定の値以下の場合に初期化信号Ｇを出力するよう構成されている点である。
【００３５】
以上のように構成されたガス遮断装置では指針値が所定の量を超えることでガス遮断装置が十分にガス使用者に適して使用されているものとし初期化を必要としないと判定することが可能となる。
【００３６】
（実施の形態５）
図５は本発明の第５のガス遮断装置の機能ブロック図である。なお実施の形態１と同一符号のものは同一構造を有し、説明は省略する。
【００３７】
実施の形態１と異なるのは、図５の機能ブロック図において、流量・指示判定部２４は流量検出部１１の流量信号Ａを受け取るとタイマ再起動指示Ｌを出力し、外部通信部１５の指示信号Ｄを受け取り、指示信号Ｄが変更指示であれば変更信号Ｆを出力し、指示信号Ｄが初期化指示であれば初期化可能信号Ｍの有無を判定し、初期化可能信号Ｍがあれば初期化信号Ｇを出力する点である。
【００３８】
流量間隔タイマ部２５は流量・指示判定部２４のタイマ再起動信号Ｌを受け取るとタイマを起動しタイマが任意の期間（例えば、ガス使用者の旅行等と区別するために２週間）に達すると初期化可能信号Ｍを出力するよう構成されている。
【００３９】
従って、タイマ再起動信号Ｌを受け取るたびにタイマを起動し直すようにすることで初期化可能信号Ｍはガス使用者が普通にガスを使っていれば出力されることはない。
【００４０】
以上のように構成されたガス遮断装置では例えば実施の形態２に記載した機能で初期化を一旦禁止された場合においても、長期間ガスが使われていないことより転宅等で新しいガス使用者が入居したときに改めて初期化することを許可とすることが可能となる。
【産業上の利用可能性】
【００４１】
以上のように、本発明にかかるガス遮断装置によれば、意図的な操作に基づくガス遮断装置の初期化や初期化が可能な期間を限定することができ、不容易な操作によって誤って初期化されることを防止することができるので、装置の初期化を不用意に行うことが不具合となる装置に適用できる。
【図面の簡単な説明】
【００４２】
【図１】本発明の実施の形態１におけるガス遮断装置の機能ブロック図
【図２】本発明の実施の形態２におけるガス遮断装置の機能ブロック図
【図３】本発明の実施の形態３におけるガス遮断装置の機能ブロック図
【図４】本発明の実施の形態４におけるガス遮断装置の機能ブロック図
【図５】本発明の実施の形態５におけるガス遮断装置の機能ブロック図
【図６】従来のガス遮断装置の機能ブロック図
【符号の説明】
【００４３】
１１  流量検出部
１２  流量判定部
１３  弁駆動部
１４  弁
１５  外部通信部
１６  指示判定部
１７  判定値保持部
１８  タイマ・指示判定部
１９  指示間隔タイマ部
２０  外部入力部
２１  外部・指示判定部
２２  指針値保持部
２３  指針・指示判定部
２４  流量・指示判定部
２５  流量間隔タイマ部
【図１】
2005127884.tif 000003
【図２】
2005127884.tif 000004
【図３】
2005127884.tif 000005
【図４】
2005127884.tif 000006
【図５】
2005127884.tif 000007
【図６】
2005127884.tif 000008